(57)【要約】【課題】便蓋を小さくしたり、分割することなく、開いた便蓋がロータンク上部に設置された手洗い器を使用する障害とならない便座装置を提供することを目的とする。【解決手段】腰掛便器に設置される便座ケースと、前記便座ケースに開閉可能に付設された便座および便蓋と、備え、前記便蓋は、前記便座ケースに設けられた複数の回転軸のそれぞれに連結されて回転する複数のヒンジ部品に軸支され、前記ヒンジ部品への前記便蓋の支軸部は、前記便蓋が閉じた状態よりも前記便蓋が開いた状態において低い位置となるように構成されていることを特徴とする便座装置が提供される。【選択図】図９
2011200508.tif 000002
【特許請求の範囲】
【請求項１】
腰掛便器に設置される便座ケースと、
前記便座ケースに開閉可能に付設された便座および便蓋と、
を備え、
前記便蓋は、前記便座ケースに設けられた複数の回転軸のそれぞれに連結されて回転する複数のヒンジ部品に軸支され、
前記ヒンジ部品への前記便蓋の支軸部は、前記便蓋が閉じた状態よりも前記便蓋が開いた状態において低い位置となるように構成されていることを特徴とする便座装置。
【請求項２】
前記ヒンジ部品に対する前記便蓋の軸支部を連結する連結板が設けられたことを特徴とする請求項１記載の便座装置。
【発明の詳細な説明】
【技術分野】
【０００１】
本発明は、腰掛便器に設置される便座装置に関する。
【背景技術】
【０００２】
ロータンクを有する腰掛便器の後部上面に設置された便座装置で、便蓋を有するものがある。その場合、ロータンクに手洗い器が設けられていると、開いた便蓋がロータンクの手洗い器を使用する際の障害になることがある。
【０００３】
特に、便蓋が、便座装置のケースカバーと、便座の略全体を覆うように形成されている場合、便蓋の長手方向の長さが長くなる。その結果として、便蓋を開いた時には、手洗い器の使用に対して、障害となりやすい。
【０００４】
この問題を解決する手段として、便蓋を小さくするか、または便蓋を主便蓋と、副便蓋といったように前後に２分割し、便蓋を開いた時の高さを抑えた便蓋装置がある（特許文献１）。
【０００５】
しかし、上記のような解決手段では、便蓋を小さくした場合には、便蓋に覆われていない部分に埃が溜まったり、デザインの自由度が制限される。また、２分割の便蓋においては、主便蓋と副便蓋の間に埃がたまったり、指を挟んでしまう可能性もある。
【先行技術文献】
【特許文献】
【０００６】
【特許文献１】特開２００４−２５４７５８号公報
【発明の概要】
【発明が解決しようとする課題】
【０００７】
本発明はかかる課題の認識に基づいてなされたもので、便蓋を小さくしたり、分割することなく、開いた便蓋がロータンク上部に設置された手洗い器を使用する障害とならない便座装置を提供することを目的とする。
【課題を解決するための手段】
【０００８】
第１の発明は、腰掛便器に設置される便座ケースと、前記便座ケースに開閉可能に付設された便座および便蓋と、備え、前記便蓋は、前記便座ケースに設けられた複数の回転軸のそれぞれに連結されて回転する複数のヒンジ部品に軸支され、前記ヒンジ部品への前記便蓋の支軸部は、前記便蓋が閉じた状態よりも前記便蓋が開いた状態において低い位置となるように構成されていることを特徴とする便座装置である。
【０００９】
第一の発明によれば、便蓋開動作と連動させ便蓋の高さを下げ、手洗い器を使用しやすくできる。また開時の便蓋の高さを下げることにより、便蓋開状態の便蓋を小さく見せ、使用者に与える圧迫感を和らげる効果もある。  
また、複数のヒンジ部品を使用することにより、駆動軸を固定したまま、便蓋の開閉動作と連動させて、便蓋のみを移動することが可能で、電動駆動で開閉される便蓋ヒンジにも利用しやすい。  
また、ヒンジ部品の長さ、軸の配置により開閉動作時に、便蓋が移動する軌道を制御することができ、便蓋とロータンクとの干渉、便蓋と便座ケースとの干渉を避け、スペースを有効に使え、便座ケースの小型化が実現可能となる。  
また、ヒンジ部品の長さ、軸の配置を変えることにより、開閉時の便蓋の高さを自在に調整ができ、便蓋の大きさに関わらず、手洗い性を確保できる。  
ヒンジ部品の長さ、配置を変えることにより、駆動軸の回転角度と便蓋の開閉角度に差異を設けることが可能となり、駆動時の動作をスムーズにし、また小さなトルクで便蓋を開閉させることができる。
【００１０】
第２の発明は、第１の発明において、前記ヒンジ部品に対する前記便蓋の軸支部を連結する連結板が設けられたことを特徴とする便座装置である。
【００１１】
第２の発明によれば、着脱時に複数の便蓋ヒンジ部品がバラバラとならないようにし、便蓋の着脱を行いやすいようにした。
【発明の効果】
【００１２】
本発明によれば、便蓋を小さくしたり、分割することなく、開いた便蓋がロータンク上部に設置された手洗い器を使用する障害とならない便座装置が提供される。
【図面の簡単な説明】
【００１３】
【図１】本発明の実施の形態に係る便座装置において、便蓋を閉じた状態と便蓋を開いた状態のそれぞれを右前方から眺めた模式図である。
【図２】本発明の実施の形態に係る便蓋を右前方から眺めた模式図である。
【図３】本発明の実施の形態に係る便座ケースの右側面図である。
【図４】本発明の実施の形態に係る便座ケースと便座ケースに取り付けられる便蓋ヒンジ部品と連結板との取付位置関係を便蓋を閉じた状態で右前方から眺めた模式図である。
【図５】本発明の実施の形態に係る便座装置で便蓋の取付方法を表した右前方から眺めた模式図である。
【図６】本発明の実施の形態に係る便座装置で便蓋の取付方法の変形例を表した右前方から眺めた模式図である。
【図７】本発明の実施の形態に係る便座装置で便蓋閉時、開時のそれぞれの状態で便蓋位置の移動を表した右側面図である。
【図８】手洗い器つき便器設備に比較例の便座装置を設置したもので、便蓋閉時開時のそれぞれの状態を右前方から眺めた模式図である。
【図９】本発明の実施の形態に係る便座装置で閉状態から開状態までの３０°ごとの便蓋開閉動作時の各部品の動きを表した右側面図である。
【図１０】本発明の実施の形態に係る便座装置と比較例の便座装置との便蓋開状態を表した右側面図である。
【発明を実施するための形態】
【００１４】
以下、図面を参照しつつ、本発明の実施形態について説明する。  
図１は、本発明の実施の形態に係る便座装置において、便蓋を閉じた状態と便蓋を開いた状態のそれぞれを右前方から眺めた模式図である。  
また、図２は、本発明の実施の形態に係る便蓋を右前方から眺めた模式図である。  
また、図３は、本発明の実施の形態に係る便座ケースの右側面図である。  
また、図４は、本発明の実施の形態に係る便座ケースと便座ケースに取り付けられる便蓋ヒンジ部品と連結板との取付位置関係を便蓋を閉じた状態で右前方から眺めた模式図である。  
なお、図４（ａ）は、便蓋ヒンジ部品と連結板とを分解する前の状態を表す斜視模式図であり、図４（ｂ）は、便蓋ヒンジ部品と連結板とを分解した後の状態を表す斜視模式図である。
【００１５】
図１を参照し、便座装置の概略構成について説明する。  
便座装置１は、便座ケース３０に対して開閉可能に軸支される便座１０と便蓋２０とを備えている。より具体的には、便蓋２０は、便座ケース３０に対して回動する左右二組の第一ヒンジ部品４０と第二ヒンジ部品６０とにより軸支されている。
【００１６】
次に、図２、図４を参照し、便蓋と、便蓋に付設される部品について説明する。  
便蓋２０には、複数の支軸（凸部）２１、２２、２３、２４、が設けられている。第一ヒンジ部品４０と第二ヒンジ部品６０とは、それぞれを連結させる連結板５０と共に、便蓋２０に設けられた複数の支軸２１、２２、２３、２４に軸支される。
【００１７】
次に図３を参照し、便座ケースについて説明する。  
便座ケース３０にはヒンジユニット（図示せず）が収納され、このヒンジユニットに取付られる回転自在なヒンジ軸７０（図４参照）が貫通する穴３１が設けられている。また、便座ケース３０には、ヒンジ軸７０とは別に固定ヒンジ軸３２が設けられている。なお、穴３１は、便座ケース３０の側面であって、固定ヒンジ軸３２よりも前方寄りの位置に設けられている。
【００１８】
次に第一ヒンジ部品４０と、第二ヒンジ部品６０と、連結板５０と、の組み付け位置について、図４（ａ）、（ｂ）を参照し説明する。  
第二ヒンジ部品６０は、所定の長さを有するアーム部であり、その一端は、穴３１より露出した、回転自在なヒンジ軸７０に連結され、ヒンジ軸７０の回転に合わせて、ヒンジ軸７０の軸心を中心として回転する。一方、第一ヒンジ部品４０は、所定の長さを有するアーム部であり、その一端は、便座ケース３０に設けられた固定ヒンジ軸３２に対して、固定ヒンジ軸３２の軸心を中心として回転自在に取付られる。
【００１９】
連結板５０は、第一ヒンジ部品４０の他端と第二ヒンジ部品６０の他端とを連結する部材であって、連結板５０の両端部に、第一ヒンジ部品４０と第二ヒンジ部品６０が回転自在に連結されている。第一ヒンジ部品４０と第二ヒンジ部品６０とは、その他端が連結板５０で連結された状態で、便蓋２０の支軸２１、２２、  ２３、２４、と連結される。第一ヒンジ部品４０と第二ヒンジ部品６０は、それぞれの他端において連結板５０で連結されているので、お手入れ時に便蓋２０を外された時も、第一ヒンジ部品４０と第二ヒンジ部品６０とがバラバラとならない。また、再度便蓋２０を取り付ける時にも便蓋２０を取り付けやすい。
【００２０】
次に便座装置１への、便蓋２０の組み付け方法について、図５を参照し説明する。  
図５は、本発明の実施の形態に係る便座装置で便蓋の取付方法を表した右前方から眺めた模式図である。  
まず、ヒンジ軸７０、第一ヒンジ部品４０、第二ヒンジ部品６０、連結板５０を便座ケース３０の左右それぞれに組み付ける。ヒンジ軸７０は開状態の向きで組み付けるのが望ましい。  
続いて、便蓋２０の支軸２１、２２、２３、２４の左右のどちらか一方を連結板５０に軸支し、軸支した側と反対側の便蓋２０の側面を外側に撓ませながら、残りの便蓋２０の支軸２１、２２、２３、２４を連結板５０に軸支することで便蓋２０を取り付ける。  
取り外し方法は、取り付け方法の逆の順序で取り外す。便蓋２０の支軸２１、２２、２３、２４と連結板５０とに誘い込みの切欠きをいれることで、便蓋２０をより取付、取り外し易くなる。
【００２１】
次に、便座装置１への便蓋２０の組み付け方法の変形例を図６を参照し、説明する。  
図６は、本発明の実施の形態に係る便座装置で便蓋の取付方法の変形例を表した右前方から眺めた模式図である。
【００２２】
まず、ヒンジ軸７０、第一ヒンジ部品４０、第二ヒンジ部品６０、連結板５１を便座ケース３０の左右それぞれに組み付ける。連結板５１の両端には、便蓋２０を撓ませずに支軸２１、２２、２３、２４を差し込み可能な切欠き部５１ａ、５１ｂが設けられており、この切欠き部はフックの役目を果たす。続いて、便蓋２０の支軸２１、２２、２３、２４を連結板５１の切欠き部５１ａ、５１ｂに差し込み、便蓋２０を取り付ける。
【００２３】
次に本発明の実施形態に係る便座装置１の便蓋２０開閉時の動きについて、図７、図８、図９、図１０を参照し、説明する。  
図７は、本発明の実施の形態に係る便座装置で便蓋閉時、開時のそれぞれの状態で便蓋位置の移動を表した右側面図である。
【００２４】
また、図８は、手洗い器つき便器設備に比較例の便座装置を設置したもので、便蓋閉時開時のそれぞれの状態を右前方から眺めた模式図である。  
また、図９は、本発明の実施の形態に係る便座装置で閉状態から開状態までの３０°ごとの便蓋開閉動作時の各部品の動きを表した右側面図である。  
また、図１０は、本発明の実施の形態に係る便座装置と比較例の便座装置との便蓋開状態を表した右側面図である。  
人の手により便蓋２０に加えられた、便蓋２０を開こうとする力が便蓋２０を介して第一ヒンジ部品４０および第二ヒンジ部品６０へと伝わると、便蓋２０が開きつつ、便蓋２０の支軸２１、２２、２３、２４の位置が移動し、便蓋２０の高さが下がる。
【００２５】
また、ヒンジユニットが電動開閉装置である場合には、便蓋２０を開こうとする駆動力がヒンジユニットからヒンジ軸７０に伝わると、第一ヒンジ部品４０と第二ヒンジ部品６０とを介して便蓋１１が開きつつ、便蓋２０の支軸２１、２２、２３、２４の位置が移動し、便蓋２０の高さが下がる。この場合、第一ヒンジ部品４０は便蓋２０を開く駆動部として機能し、第二ヒンジ部品６０は第一ヒンジ部品４０の回転に伴って回転する従動部として機能する。
【００２６】
具体的には、便蓋２０が閉じた状態（図７（ａ）、図９（ａ））においては、ヒンジ軸７０と固定ヒンジ軸３２からみて連結板５０は、上方に位置している。つまり、連結板５０に連結された、便蓋２０の支軸２１、２２、２３、２４も、ヒンジ軸７０と、固定ヒンジ軸３２からみて、上方に上昇した状態にある。
【００２７】
これに対して、便蓋が閉じた状態から開いた状態へとなるとき、（図７（ｂ）、図９（ｂ）、（ｃ）、（ｄ））ヒンジ軸７０と、固定軸３２からみて、連結板５０は便蓋２０が開いた状態に近付く毎に、徐々に高さを下げ、開いた状態においては、連結板５０は便座ケース３０の後方の斜め下方まで降下した状態にある。
【００２８】
このように、本実施形態によれば、便蓋２０を開いたときに、便蓋２０の支軸２１、２２、２３、２４が下方に降下する。その結果として、便蓋２０を開いた状態において、その先端の高さが低くなる。
【００２９】
なお、本実施形態によれば、第一ヒンジ部品４０と第二ヒンジ部品６０とは、便蓋２０が開く際に、便座ケース３０に対する第一ヒンジ部品４０の回転角度に対して便座ケース３０に対する便蓋２０の回転角度が大きくなるリンク機構となっている。そのため、開いた便蓋２０の先端の高さを低くするための、第一ヒンジ部品４０、第二ヒンジ部品６０の動作空間を小さくすることができる。よって、便座装置１の後方に大きな隙間が不要であり、ロータンク１４０と便座装置１との間に大きな隙間が生ずることはない。
【００３０】
比較例の手洗い器つき便器設備は、図８に表したように、腰掛便器２００と、腰掛便器２００の上に設けられた便座装置１００と、便座装置１００の後方に設けられたロータンク１４０および手洗い器１５０と、を備える。図８および図１０に示すように、比較例の便座装置（図８、図１０（ｂ）、（ｄ））と比べ、本実施形態の便座装置（図１０（ａ）、（ｃ））を使用することで、開いた時の便蓋先端の高さが低くなり、例えば、ロータンク１４０に設けられた手洗い器１５０の使用の障害となることがない。
【００３１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、第一ヒンジ部品４０や第二ヒンジ部品６０などが備える各要素の形状、寸法、材質、配置などや便蓋２０や連結板５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３２】
１…便座装置、  １０…便座、  ２０…便蓋、  ２１…便蓋支軸、  ２２…便蓋支軸、  ２３…便蓋支軸、  ２４…便蓋支軸、  ３０…便座ケース、  ３２…固定ヒンジ軸、  ４０…第一ヒンジ部品、  ５０…連結板、  ５１…連結板、  ６０…第二ヒンジ部品、  ７０…ヒンジ軸、  １００…便座装置、  １１０…便座、  １２０…便蓋、  １３０…便座ケース、  １４０…ロータンク、  １５０…手洗い器、  ２００…腰掛便器
【図１】
2011200508.tif 000003
【図２】
2011200508.tif 000004
【図３】
2011200508.tif 000005
【図４】
2011200508.tif 000006
【図５】
2011200508.tif 000007
【図６】
2011200508.tif 000008
【図７】
2011200508.tif 000009
【図８】
2011200508.tif 000010
【図９】
2011200508.tif 000011
【図１０】
2011200508.tif 000012